(57)【要約】【課題】移動可能な医療機器において収集された医療データを、医療機器の移動を制限することなくより効率的にデータ保存サーバに格納することが可能な医療システムおよび医療データ通信方法である。【解決手段】医療システムは、無線により医療データを送信するデータ送受信部を備え、かつ移動させることが可能な医療機器と、医療データを保存する医療データ保存サーバと、データ送受信部から送信された医療データを受信して有線ネットワークを介して医療データ保存サーバに送信する配信装置とを有する。【選択図】  図２
2006271763.tif 000002
【特許請求の範囲】
【請求項１】
無線により医療データを送信するデータ送受信部を備え、かつ移動させることが可能な医療機器と、
前記医療データを保存する医療データ保存サーバと、
前記データ送受信部から送信された医療データを受信して有線ネットワークを介して前記医療データ保存サーバに送信する配信装置と、
を有することを特徴とする医療システム。
【請求項２】
無線により医療データを送信するデータ送受信部を備え、かつ移動させることが可能な医療機器から送信された医療データを受信する配信装置と、
前記配信装置から有線ネットワークを介して送信された前記医療データを保存する医療データ保存サーバと、
を有することを特徴とする医療システム。
【請求項３】
複数の前記配信装置を備え、
前記医療機器は、前記配信装置を切換え可能に選択し、選択した前記配信装置に前記医療データを送信するように構成した
ことを特徴とする請求項１記載の医療システム。
【請求項４】
前記医療機器は、送信された前記医療データの識別情報を保存し、前記医療データの送信が失敗したと判断された場合に、前記医療データの識別情報を参照することにより送信が失敗した前記医療データを再送信するように構成したことを特徴とする請求項１記載の医療システム。
【請求項５】
前記医療機器には、電源バックアップのない記憶装置が設けられる一方、少なくとも１つの前記配信装置には、電源バックアップのある記憶装置が設けられ、
前記医療機器は前記医療データを前記電源バックアップのない記憶装置に保存する一方、前記配信装置は前記医療データを前記電源バックアップのある記憶装置に保存するように構成されることを特徴とする請求項１記載の医療システム。
【請求項６】
前記配信装置は、前記医療機器から受信した前記医療データが正当な前記医療機器からの前記医療データであるか否かを認証するための認証リストに従って前記医療データに含まれる前記医療機器の認証情報を用いて前記医療機器を認証し、認証に成功した場合のみ前記医療データを前記医療データ保存サーバに送信するように構成されることを特徴とする請求項１または２記載の医療システム。
【請求項７】
前記配信装置を複数備え、
前記各配信装置は分割された前記医療データを受信した場合に、予め指定された配信装置に前記分割された前記医療データを送信するように構成されることを特徴とする請求項１または２記載の医療システム。
【請求項８】
前記配信装置はシグナルを発生させるように構成され、
前記医療機器は、前記シグナルの強度に基づいて前記医療データの送信先として前記配信装置を選択するように構成されることを特徴とする請求項３記載の医療システム。
【請求項９】
複数のＩＣタグを備え、
前記医療機器は、前記ＩＣタグの検知結果に基づいて前記医療データの送信先として前記配信装置を選択するように構成されることを特徴とする請求項３記載の医療システム。
【請求項１０】
前記配信装置により受信された前記医療データに含まれる前記医療機器の認証情報を取得して前記医療機器の存在位置および存在区域の少なくとも一方を検出して表示させるデータ処理装置を設けたことを特徴とする請求項６記載の医療システム。
【請求項１１】
前記配信装置により受信された前記医療データに含まれる前記医療機器の認証情報を取得して前記医療機器の存在位置および存在区域の少なくとも一方を検出し、前記医療機器が本来存在すべき区域内に存在しないと判定される場合にはアラートを発生させるデータ処理装置を設けたことを特徴とする請求項６記載の医療システム。
【請求項１２】
移動させることが可能な医療機器から無線により医療データを送信するステップと、
前記送信された前記医療データを受信するステップと、
前記受信した前記医療データを医療データ保存サーバに有線ネットワークを介して送信するステップと、
を有することを特徴とする医療データ通信方法。
【請求項１３】
移動させることが可能な医療機器から送信された医療データを受信するステップと、
前記受信した前記医療データを医療データ保存サーバに有線ネットワークを介して送信するステップと、
を有することを特徴とする医療データ通信方法。
【発明の詳細な説明】
【技術分野】
【０００１】
本発明は、移動可能な医療機器から医療データを無線により送信し、受信器にて受信された医療データをデータ保存サーバに保存する医療システムおよび医療データ通信方法に関する。
【背景技術】
【０００２】
従来、心電計や体温計等の医療機器は、患者自身が携帯して利用するタイプのものが多い。また、Ｘ線診断装置、超音波診断装置、化学分析装置等の医療機器は、技師や医師が医療施設内を移動させて利用する場合がある。さらに、近年では、検診車に医療機器を搭載し、医療機器を移動させて検査が行われる場合もある。
【０００３】
このような携帯型または可搬型の医療機器において収集された画像や計測データ等の医療データは、メディアや固定設置されたデータ配信装置等のネットワーク機器を介して有線通信によってＰＣ（Personal Computer）や各種情報情報処理システムに送信され、情報システム内に設けられたデータ保存サーバに格納される。
【０００４】
また、可搬型のＸ線ＣＴ（ｃｏｍｐｕｔｅｄ  ｔｏｍｏｇｒａｐｈｙ）装置において、データ検出部を小型化するために、Ｘ線検出データを送受信装置から電波として無線により記憶装置や画像処理装置側に送信するものが考案されている（例えば特許文献１参照）。
【特許文献１】特開平６−２７７２０７号公報
【発明の開示】
【発明が解決しようとする課題】
【０００５】
従来の携帯型または可搬型の医療機器では、有線またはメディアを介して医療データを転送する場合には、データ転送中に医療機器を移動できないという問題がある。このため、患者や技師、医師の行動が制限され、患者の日常生活のみならず医療機器の効率的活用に支障をもたらしている。
【０００６】
また、無線により医療データを転送する場合には、医療データの固有の性格から他の通信データとは異なり完全性を十分に検証し、受信側において医療データの完全性が維持される必要がある。すなわち、医療機器による医療データの再収集を回避する必要性から、一旦収集された医療データは、確実に受信側に完全性を維持した状態で送信される必要がある。
【０００７】
本発明はかかる従来の事情に対処するためになされたものであり、移動可能な医療機器において収集された医療データを、医療機器の移動を制限することなくより効率的にデータ保存サーバに格納することが可能な医療システムおよび医療データ通信方法を提供することを目的とする。
【０００８】
また、本発明の他の目的は、移動可能な医療機器において収集された医療データを、医療機器の移動を制限することなくより完全性を維持した状態でデータ保存サーバに格納することが可能な医療システムおよび医療データ通信方法を提供することである。
【課題を解決するための手段】
【０００９】
本発明に係る医療システムは、上述の目的を達成するために、請求項１に記載したように、無線により医療データを送信するデータ送受信部を備え、かつ移動させることが可能な医療機器と、前記医療データを保存する医療データ保存サーバと、前記データ送受信部から送信された医療データを受信して有線ネットワークを介して前記医療データ保存サーバに送信する配信装置とを有することを特徴とするものである。
【００１０】
また、本発明に係る医療システムは、上述の目的を達成するために、請求項２に記載したように、無線により医療データを送信するデータ送受信部を備え、かつ移動させることが可能な医療機器から送信された医療データを受信する配信装置と、前記配信装置から有線ネットワークを介して送信された前記医療データを保存する医療データ保存サーバとを有することを特徴とするものである。
【００１１】
また、本発明に係る医療データ通信方法は、上述の目的を達成するために、請求項１２に記載したように、移動させることが可能な医療機器から無線により医療データを送信するステップと、前記送信された前記医療データを受信するステップと、前記受信した前記医療データを医療データ保存サーバに有線ネットワークを介して送信するステップとを有することを特徴とするものである。
【００１２】
また、本発明に係る医療データ通信方法は、上述の目的を達成するために、請求項１３に記載したように、移動させることが可能な医療機器から送信された医療データを受信するステップと、前記受信した前記医療データを医療データ保存サーバに有線ネットワークを介して送信するステップとを有することを特徴とするものである。
【発明の効果】
【００１３】
本発明に係る医療システムおよび医療データ通信方法においては、移動可能な医療機器において収集された医療データを、医療機器の移動を制限することなくより効率的にデータ保存サーバに格納することができる。
【００１４】
また、移動可能な医療機器において収集された医療データを、医療機器の移動を制限することなくより完全性を維持した状態でデータ保存サーバに格納することができる。
【発明を実施するための最良の形態】
【００１５】
本発明に係る医療システムの実施の形態について添付図面を参照して説明する。
【００１６】
図１は本発明に係る医療システムの実施の形態を示す構成図である。
【００１７】
医療システム１は、単一あるいは複数の可搬型または携帯型の医療機器２と、医療機器２において収集された医療データを格納し、所望のデータ処理を行うためのネットワークシステム３とを備えている。
【００１８】
医療機器２としては、心電計（ＥＣＧ:electro cardiogram）、グルコースモニタ、体温計等の携帯型の計測機器２ａやＸ線ＣＴ装置や超音波診断装置等の可搬型の画像診断装置２ｂが挙げられる。また、検診車４に搭載された計測機器２ａや画像診断装置２ｂも可搬型の医療機器２と言える。心電計、グルコースモニタ、体温計等の携帯型の計測機器２ａは、患者が携帯することにより常時医療データを収集できる医療機器２である。
【００１９】
また、Ｘ線ＣＴ装置や超音波診断装置等の可搬型の画像診断装置２ｂは、医療施設５内において検査室６や病棟７のベットサイドに移動したり、検診車４に搭載することにより、移動させて検査を行うことが可能な医療機器２である。これら可搬型の画像診断装置２ｂは、ある場所で検査が終了すると次の場所へ移動して再び検査用に用いることができる。
【００２０】
各医療機器２には、ネットワークシステム３との間で非接触型の通信、例えば無線によりデータを送受信するためのデータ送受信部が設けられる。このため、各医療機器２において収集された医療データは、無線によりネットワークシステム３側に送信することができる。各医療機器２のデータ送受信部は、例えば数メートルの通信が可能な電波を利用した無線通信装置により構成することができる。
【００２１】
ネットワークシステム３は、配信装置８、放射線情報システム（ＲＩＳ：ｒａｄｉｏｌｏｇｙ  ｉｎｆｏｒｍａｔｉｏｎ  ｓｙｓｔｅｍ）、病院情報システム（ＨＩＳ：ｈｏｓｐｉｔａｌ  ｉｎｆｏｒｍａｔｉｏｎ  ｓｙｓｔｅｍ），臨床検査情報システム（ＬＩＳ：Ｌａｂｏｒａｔｏｒｙ  Ｉｎｆｏｒｍａｔｉｏｎ  ｓｙｓｔｅｍ）等の各種情報処理システム９、医療データ保存サーバ１０、イメージャやプリンタ等の出力装置１１および固定型Ｘ線ＣＴ装置等の固定機器１２を互いに有線ネットワーク１３を介して接続して構成される。尚、ネットワークシステム３の全部または一部の構成要素は、有線ネットワーク１３により互いに接続されていれば、医療施設５内を移動できるように構成されていてもよい。
【００２２】
配信装置８は、単一でも良いが、望ましくは医療施設５内において医療機器２を移動して使用した場合に、移動先から送信された医療データを受信できるように随所に複数配置される。例えば、配信装置８は、病棟７、検査室６、通路等の場所にそれぞれ所望の数だけ配置される。また、検診車４内の医療機器２から送信された医療データを受信するための検診車用配信装置８ａも設けられる。
【００２３】
各配信装置８は、医療機器２から送信された医療データを受信し、ネットワークシステム３内の所望の各構成要素に有線ネットワーク１３を介して配信する機能を有する。医療データは、最終的あるいは暫定的には各配信装置８やその他の構成要素から医療データ保存サーバ１０に送信されて格納される。
【００２４】
また、複数の配信装置８のうち任意の配信装置８は各配信装置８において受信された医療データを集約するための主配信装置８ｂとして設定される。尚、複数の配信装置８を主配信装置８ｂとしてもよい。例えば、医療機器２の格納位置付近にある配信装置８を主配信装置８ｂとして設定しておくことができる。
【００２５】
一方、ネットワークシステム３には、医療機器２から受信した医療データに対して所望の情報処理を行うためのデータ処理装置１４が設けられる。そこで、任意の配信装置８にデータ処理装置１４を接続し、データ処理装置１４が接続された配信装置８を主配信装置８ｂとすることができる。ただし、データ処理装置１４を直接有線ネットワーク１３に接続してもよい。
【００２６】
特定の医療機器２からの医療データを処理するためのデータ処理装置１４が接続された配信装置８を当該医療機器２に対する主配信装置８ｂとすれば、医療機器２、配信装置８、データ処理装置１４により、固定型の医療機器システムと同等の処理が可能な医療機器システムを構成することができる。このため、複数の医療機器２に対して共通のデータ処理装置１４を設ければ、医療機器２とデータ処理装置１４および主配信装置８ｂを多対一とすることができる。
【００２７】
図２は、図１に示す医療システム１における医療機器２、配信装置８およびデータ処理装置１４の詳細機能を示す機能ブロック図である。
【００２８】
医療機器２は、撮像／計測部２０、撮像／計測制御部２１、データ一時保存部２２、最新送信ＩＤ保存部２３、データ送受信部２４、配信装置選択部２５、シグナル強度検知部２６、入力装置２７、トリガ発生部２８を備えている。
【００２９】
また、配信装置８は、シグナル発信部２９、配信制御部３０、認証部３１、認証リスト記憶部３２、データ一時保存部３３、結合リスト保存部３４、無線データ送受信部３５、有線データ送受信部３６を備えている。さらに、データ処理装置１４が接続された主配信装置８ｂは、主配信装置８ｂでない配信装置８と同様にシグナル発信部２９、配信制御部３０、認証部３１、認証リスト記憶部３２、データ一時保存部３３、結合リスト保存部３４、無線データ送受信部３５、有線データ送受信部３６を備える他、データ結合／確認部３７およびデータ保存部３８を備えている。
【００３０】
また、データ処理装置１４は、データ処理部３９、医療機器位置検出部４０、警告部４１および表示装置４２を備えている。
【００３１】
医療機器２の撮像／計測部２０は、撮像／計測制御部２１からの制御信号に従って、患者の画像データや計測データ等の医療データを収集する機能と、収集した医療データを撮像／計測制御部２１に与える機能とを有する。
【００３２】
撮像／計測制御部２１は、撮像／計測部２０に制御信号を与えて制御し、撮像／計測部２０において収集された医療データを受け取ってデータ一時保存部２２に書き込む機能と、入力装置２７あるいはトリガ発生部２８からトリガ信号を受けた場合に、データ一時保存部２２に保存された医療データを配信装置８に送信するようにデータ送受信部２４に指示を与えて制御する機能とを有する。また、撮像／計測制御部２１は、医療機器２と配信装置８との間における情報の送受信に必要な指示をデータ送受信部２４に与えるように構成される。
【００３３】
データ一時保存部２２は、撮像／計測制御部２１から受けた医療データを一時的に保存する機能を有する。データ一時保存部２２は、医療機器２において一度に扱われる医療データのデータサイズが比較的小さい場合、例えば、医療機器２が可搬型画像診断装置２ｂである場合において１検査あたりの画像収集データ量が小さい場合には、望ましくは電源バックアップ機能を有さないメモリ等の記録装置により構成される。
【００３４】
データ一時保存部２２を、電源バックアップ機能を有するＨＤＤ（Hard Disk Drive）等の記録装置ではなく、電源バックアップ機能を有さないメモリ等の記録装置により構成すれば、医療機器２を小型化することができる。また、医療機器２にＨＤＤ等の記録装置を搭載すると、医療機器２を移動させた場合や長時間連続的に使用した場合には、振動や熱の影響によりデータ読み取り機構の位置決め精度が要求されるＨＤＤ等の記録装置の故障が危惧される。従って、データ一時保存部２２を、電源バックアップ機能を有さないメモリ等の記録装置により構成すれば、データ一時保存部２２の故障を回避して医療機器２の信頼性を向上させることができる。ただし、十分な信頼性が確保できる場合や、医療機器２において取り扱うデータ量が大きい場合には、電源バックアップ機能を備えたＨＤＤ等の記録装置によりデータ一時保存部２２を構成してもよい。
【００３５】
シグナル強度検知部２６は、医療施設５の随所に設置された各配信装置８からそれぞれ発信された電波による各シグナルの強度を検知する機能と、検知した各シグナルの強度を配信装置選択部２５に通知する機能とを有する。
【００３６】
配信装置選択部２５は、シグナル強度検知部２６から受けた配信装置８のシグナルの強度を比較し、最も強度が大きいシグナルを発信した通信条件の良い配信装置８を、医療データを送信すべき配信装置８として選択する機能と、選択した配信装置８をデータ送受信部２４に通知する機能とを有する。
【００３７】
データ送受信部２４は、撮像／計測制御部２１から医療データの送信指示を受けた場合に、データ一時保存部２２から読み込んだ医療データを配信装置選択部２５において選択された配信装置８に無線により送信する機能を有する。この際、データ送受信部２４は、医療データを送信可能な単位の医療データに分割するとともに、分割された各医療データに識別情報として送信ＩＤを付するように構成される。そして、最後に送信した医療データの送信ＩＤを最新送信ＩＤ保存部２３に書き込むように構成される。
【００３８】
また、データ送受信部２４は、医療データの送信が成功しなかった場合に、最新送信ＩＤ保存部２３を参照し、送信に失敗した医療データを配信装置８に再送する機能を有する。データ送受信部２４は、例えば、配信装置８から医療データの送信が成功しなかった旨のメッセージを受信した場合や、配信装置８から最後の医療データを受信した旨の確認メッセージを受信することなく一定時間が経過し、いわゆるタイムオーバーとなった場合に、医療データの送信が成功しなかったと判断することができる。
【００３９】
最新送信ＩＤ保存部２３は、データ送受信部２４から受け取った送信ＩＤを保存する機能を有する。
【００４０】
入力装置２７からは、撮像や計測の指示の他、トリガ信号として医療データの送信指示を撮像／計測制御部２１に与えることができる。
【００４１】
トリガ発生部２８は、予め指定された条件が満たされた場合に医療データの送信指示としてトリガ信号を発生させて撮像／計測制御部２１に与える機能を有する。トリガ信号の発生条件は、任意に指定することができる。
【００４２】
例えば、医療機器２がある時刻における患者の体温を計測する温度計や静止画像を撮像する画像診断装置２ｂであるような場合には、体温が計測されたタイミングや画像の再構成に必要なデータ収集が完了した時点でトリガ信号を発生するようにすることができる。また、医療機器２が時間的な体温変動やＥＣＧ、動画像等のダイナミックなデータを計測する場合には、心拍同期でトリガ信号を発生させたり、計測開始から一定時間が経過した場合にトリガ信号を発生させるようにすることもできる。
【００４３】
また、配信装置８のシグナル発信部２９は、医療機器２のシグナル強度検知部２６により検知可能な電波をシグナルとして発信する機能を有する。
【００４４】
無線データ送受信部３５は、医療機器２から無線により送信された医療データを受信する機能と、受信した医療データをデータ一時保存部３３に書き込む機能を有する。
【００４５】
データ一時保存部３３は、無線データ送受信部３５から受けた医療データを一時的に保存する機能を有する。尚、配信装置８のデータ一時保存部３３も医療機器２のデータ一時保存部２２と同様に電源バックアップ機能を有さないメモリ等の記録装置で構成すれば、小型化および信頼性の向上が可能となる。
【００４６】
結合リスト保存部３４には、医療データの配信先を記述した結合リスト情報が予め保存される。結合リスト情報は、例えば医療機器２の識別情報と主配信装置８ｂとを組み合わせることにより関連付けて作成することができる。すなわち、医療機器２からの医療データの配信先を主配信装置８ｂに指定し、当該医療機器２からの医療データが分割されて複数の配信装置８において受信されたとしても最終的には指定された主配信装置８ｂに集約され、分割された医療データを結合することができる。
【００４７】
尚、結合リスト保存部３４は、全ての配信装置８に備えてもよいが、予め定めた配信装置８やその他の有線ネットワーク１３に接続された構成要素に備えて、複数の配信装置８で共有するようにしてもよい。また、医療データの配信先は、主配信装置８ｂ以外の構成要素としてもよい。ただし、その場合には、主配信装置８ｂに設けられるべき機能が配信先とされる構成要素に設けられる。
【００４８】
有線データ送受信部３６は、配信制御部３０から医療データの配信要求を受けた場合に、結合リスト保存部３４に保存された結合リスト情報を参照し、データ一時保存部３３から読み込んだ医療データを指定された配信先に有線ネットワーク１３を介して送信する機能を有する。
【００４９】
認証リスト記憶部３２には、無線データ送受信部３５が医療機器２から受信した医療データが正当な医療機器２からの医療データであるか否かを認証するための認証リストが予め保存される。
【００５０】
配信制御部３０は、データ一時保存部３３に保存された医療データに含まれる認証情報を取得し、取得した認証情報を認証部３１に与えることにより医療データの認証を要求する一方、認証部３１から医療データの認証が成功した旨の通知を受けた場合には医療機器２との通信を継続させるように無線データ送受信部３５に指示を与えるとともに、有線データ送受信部３６にデータ一時保存部３３に保存された医療データの送信要求を行う機能を有する。また、配信制御部３０は、認証部３１から医療データの認証が成功しなかった旨の通知を受けた場合には、医療機器２との通信を確立させずに途絶えさせるよう無線データ送受信部３５に指示を与えるように構成される。
【００５１】
認証部３１は、配信制御部３０から医療データの認証情報を受け取った場合に、認証リスト記憶部３２に保存された認証リストを参照することにより、医療データの送信元である医療機器２の認証を行う機能と、認証に成功したか否かの結果を配信制御部３０に通知する機能とを有する。
【００５２】
また、主配信装置８ｂの有線データ送受信部３６は、他の配信装置８における有線データ送受信部３６の機能に加え、他の配信装置８から有線ネットワーク１３を介して送信された医療データを受信してデータ一時保存部３３に書き込む機能を有する。また、有線データ送受信部３６は、データ結合／確認部３７から受けた医療データを任意の構成要素、特に医療データ保存サーバ１０に有線ネットワーク１３を介して送信する機能を有する。
【００５３】
このため、主配信装置８ｂのデータ一時保存部３３には、主配信装置８ｂおよび他の各配信装置８において無線により受信された各医療データが格納されることとなる。
【００５４】
データ結合／確認部３７は、データ一時保存部３３に保存された複数の医療データが共通の医療機器２から分割されて主配信装置８ｂおよび各配信装置８の一方または双方に送信されたものである場合に、結合リスト保存部３４に保存された結合リスト情報を参照し、分割された複数の医療データを結合する機能と、結合した医療データをデータ保存部３８および有線データ送受信部３６に与える機能とを有する。
【００５５】
このため、データ保存部３８には、データ結合／確認部３７により結合された医療データが保存される。
【００５６】
データ処理装置１４のデータ処理部３９は、主配信装置８ｂのデータ保存部３８に保存された医療データを参照し、所望の情報処理を行った後、処理後の医療データをデータ保存部３８に書き込む機能を有する。
【００５７】
医療機器位置検出部４０は、主配信装置８ｂのデータ保存部３８に保存された医療データを参照し、医療データに含まれる医療機器２の認証情報に基づいて、医療データを受信した配信装置８を特定する機能と、当該配信装置８の位置情報または医療機器２の存在位置情報や存在区域情報を検出して警告部４１に与える一方、当該配信装置８の位置または医療機器２の推定存在位置や存在区域を画像表示するための情報を作成して表示装置４２に与える機能とを有する。
【００５８】
警告部４１は、医療機器位置検出部４０から受けた医療機器２の位置と予め設定された医療機器２の使用区域情報とから医療装置が本来存在すべき区域内に存在するか否かを判定する機能と、医療機器２が存在すべき区域外であると判定された場合にアラートを発生させる機能を有する。アラートは、例えば、警告音や警告ランプとする他、警告画像を表示装置４２に表示させることができる。
【００５９】
表示装置４２は、医療機器位置検出部４０から受けた画像表示情報に従って、配信装置８の位置や医療機器２の推定位置または存在区域を表示させるとともに、警告部４１から受けたアラート情報に従って、医療装置が存在区域外にある旨を示す警告画像を表示させる機能を有する。また、表示装置４２では、主配信装置８ｂのデータ保存部３８に保存された医療データを表示させることもできる。
【００６０】
次に、医療システム１の動作および作用について説明する。
【００６１】
まず、医療機器２が所望の場所に移動され、医療機器２の入力装置２７から撮像／計測制御部２１に画像の撮像またはデータの計測指示が与えられると、撮像／計測制御部２１から制御信号が撮像／計測部２０に与えられる。そうすると、撮像／計測部２０が動作して患者の画像データや計測データ等の医療データが収集される。撮像／計測部２０は、収集した医療データを撮像／計測制御部２１を介してデータ一時保存部２２に与える。このため、データ一時保存部２２には、医療機器２において収集された医療データが一時的に保存される。
【００６２】
そして、例えばデータ送信ボタン等の入力装置２７の操作により手動で、あるいは予め指定された条件が満たされた場合にトリガ発生部２８がトリガ信号を発生させることにより自動的に、トリガ信号が医療データの送信指示として撮像／計測制御部２１に与えられる。このため、撮像／計測制御部２１は、データ一時保存部２２に保存された医療データを配信装置８に送信するようにデータ送受信部２４に指示を与える。
【００６３】
一方で、医療データの収集が完了すると、医療データの送受信状態に拘わらず、医療機器２を次の目的地に移動させることができる。このため、より速く次の検査を行うことが可能となり、医療機器２を効率的に利用することができる。
【００６４】
このとき、主配信装置８ｂを含む各配信装置８のシグナル発信部２９からは、医療機器２のシグナル強度検知部２６により検知可能な電波がシグナルとして発信される。そして、医療機器２のシグナル強度検知部２６は、各配信装置８からそれぞれ発信された電波による各シグナルの強度を検知し、検知した各シグナルの強度を配信装置選択部２５に通知する。そうすると、配信装置選択部２５は、シグナル強度検知部２６から受けた配信装置８のシグナルの強度を比較し、最も強度が大きいシグナルを発信した配信装置８を医療データを送信すべき配信装置８として選択する。そして、配信装置選択部２５は、選択した配信装置８をデータ送受信部２４に通知する。
【００６５】
この医療機器２におけるシグナルの強度の検知および送信すべき配信装置８の選択は、医療機器２の移動に追従して随時行われ、医療機器２の位置に応じて送信すべき配信装置８もダイナミックに変化することとなる。
【００６６】
そして、医療機器２のデータ送受信部２４は、撮像／計測制御部２１からの医療データの送信指示に従って、データ一時保存部２２から読み込んだ医療データを送信可能な単位の医療データに分割するとともに、分割された各医療データに識別情報として送信ＩＤを付する。そして、配信装置選択部２５から順次通知される配信装置８に分割された各医療データを無線により送信する。さらに、最後に送信した医療データの送信ＩＤが最新送信ＩＤ保存部２３に書き込まれて保存される。
【００６７】
図３は、図２に示す医療機器２から配信装置８に送信される医療データのデータ構造の一例を示す概念図である。
【００６８】
医療機器２から配信装置８に無線送信される医療データのデータ構造は、例えば図３に示すように送信ＩＤ、データ長情報、ＣＤ（チェック・ディジット）、データからなる。送信ＩＤは送信側である医療機器２において定義されるユニークＩＤであり、送信側の医療機器２を示すＩＤと分割された各医療データを識別するためのデータ分割連番号で構成することができる。ＣＤは医療データの完全性を検証するための情報である。完全性の検証情報としてＣＤ以外の情報、例えばハッシュコードを用いたダイジェストメッセージ等の情報が用いられる場合もある。
【００６９】
医療データのデータ単位およびデータ転送に関するメッセージの送受信方法は、通信規格や通信レイヤによるデータの送受信であるかによって異なる。医療機器２が可搬型のＸ線ＣＴ装置等の画像診断装置２ｂであり、医用画像データの代表的な通信規格であるＤＩＣＯＭ（Digital Imaging and Communications in Medicine）データが医療機器２と配信装置８との間で送受信される場合には、画像データの収集に先立って、撮像／計測制御部２１からデータ送受信部２４に指示が与えられ、予め画像診断装置２ｂによる検査予約情報（患者情報やオーダー情報）を示すＭＷＭ（Modality Worklist Management Service Class）情報の要求情報が画像診断装置２ｂのデータ送受信部２４から医療データとして無線により配信装置８を介してＲＩＳ、ＨＩＳ、ＬＩＳ等の情報処理システム９に送信される。そして、情報処理システム９から配信装置８を介して無線により送信されたＭＷＭ情報が医療機器２のデータ送受信部２４によって受信され、検査開始の際に参照される。
【００７０】
そして、画像診断装置２ｂにより検査が行われると、Ｘ線の曝射情報や検査フィルム情報といった検査の実施情報を示すＭＰＰＳ（Modality Performed Procedure Step）情報が撮像／計測制御部２１において作成され、データ送受信部２４に与えられて無線により配信装置８を介してＲＩＳ、ＨＩＳ、ＬＩＳ等の情報処理システム９に送信される。このため、画像データの無線送信に先立って画像データの送信開始を通知するためのＭＰＰＳ情報が医療データとして送信されることとなる。
【００７１】
このようにＭＷＭ情報の要求情報、ＭＰＰＳ情報および画像データ等の医療データが医療機器２から無線により送信されると、配信装置８の無線データ送受信部３５によって受信されデータ一時保存部３３に書き込まれて一時的に保存される。
【００７２】
ただし、医療機器２が移動中であることから送信先として選択されたシグナル強度の大きい配信装置８が変わり、しかも比較的大きいデータサイズの医療データが医療機器２から配信装置８に転送される場合には、医療データが複数の配信装置８に分割されて送信されることとなる。そして、各配信装置８の無線データ送受信部３５によって受信された各医療データは、各配信装置８のデータ一時保存部３３にそれぞれ書き込まれて一時的に保存される。
【００７３】
次に、配信制御部３０は、データ一時保存部３３に保存された医療データに含まれる認証情報を取得し、取得した認証情報を認証部３１に与えることにより医療データの認証を要求する。そうすると、認証部３１は、認証リスト記憶部３２に保存された認証リストを参照することにより、医療データの送信元である医療機器２の認証を行い、認証に成功したか否かの結果を配信制御部３０に通知する。
【００７４】
配信制御部３０は、認証部３１から医療機器２が認証されない旨の通知を受けた場合には、通信を確立させない。このため、例えば、医療機器２が特定管理区域内に存在する場合のみ認証に成功するように設定すれば、医療機器２が特定管理区域内に存在する場合のみ使用可能とする一方、特定管理区域外の検査に不適合な区域における医療機器２の誤使用を防止できる。
【００７５】
一方、配信制御部３０は、認証部３１から医療データの認証が成功した旨の通知を受けた場合には、通信を継続させて無線データ送受信部３５に医療データを受信した旨のメッセージを医療機器２に送るように指示し、無線データ送受信部３５から医療機器２のデータ送受信部２４に医療データを受信した旨のメッセージが送信される。また、医療機器２から無線により送信された医療データが中断して途切れた場合のように、医療データの受信に失敗した場合にも配信装置８の無線データ送受信部３５から医療機器２のデータ送受信部２４に医療データの受信に失敗した旨のメッセージが送信される。
【００７６】
さらに、医療機器２が移動し、医療データの送信先である配信装置８が医療データの送信中に切り換った場合には、医療データを受信した旨のメッセージが受信することなく一定時間が経過し、いわゆるタイムオーバーが発生する場合もある。逆に、配信装置８からデータ受信中に医療機器２が移動し、配信装置８が切り換ったり、配信装置８との無線通信が困難になった場合にも、配信装置８から送信されるデータのタイムオーバーが発生する。
【００７７】
このため、医療機器２側において、データ送受信部２４は、配信装置８から医療データの受信に失敗した旨のメッセージを受信した場合、あるいは医療データを受信した旨のメッセージや配信装置８から送信されるべきデータが受信することなく一定時間が経過し、タイムオーバーが発生した場合には、医療データの無線送信に失敗したと判断することができる。医療データの無線送信に失敗したと判断された場合には、データ送受信部２４が最新送信ＩＤ保存部２３を参照し、送信に失敗した送信ＩＤが付された医療データを配信装置８に再送する。
【００７８】
換言すれば、医療機器２のデータ送受信部２４は、タイムオーバーや配信装置８からのメッセージを監視することにより、配信装置８の切り換りを検知することができる。例えば、データ送受信部２４は、タイムオーバーを監視することにより、配信装置８において認証に失敗し、通信が途絶えたことを検知することができる。この場合には、配信装置８が切り換ったか、あるいはデータの送受信が困難な区域に医療機器２が移動したと判断することができる。
【００７９】
そして、データ送受信部２４は、医療データの送信中に医療機器２の移動により配信装置８が切り換ったと判断される場合には、改めて配信装置８との通信が可能となった際に最新送信ＩＤ保存部２３を参照することにより、配信装置８の切換前に送信中であった医療データの一部または全てを切換後における配信装置８に再送する。同様に、医療機器２の移動によりデータの送受信が困難になったと判断される場合にも再度配信装置８との通信が可能となった際に医療データの一部または全てを配信装置８に再送する。
【００８０】
また、配信装置８からデータ受信中に医療機器２の移動により配信装置８が切り換ったと判断される場合には、改めて配信装置８との通信が可能となった際に最新送信ＩＤ保存部２３を参照することにより、切換後における新しい配信装置８にデータの送信を再度要求する。同様に、医療機器２の移動によりデータの送受信が困難になったと判断される場合にも再度配信装置８との通信が可能となった際に配信装置８にデータの送信を再度要求する。
【００８１】
つまり、最後に医療機器２側から配信装置８側に無線により送信した医療データ（情報の送信要求を含む）の送信ＩＤが最新送信ＩＤ保存部２３に保存されているため、送信に失敗しても再送信することができる。これにより医療データの完全性を維持することができる。また、例えば、患者が携帯型の計測機器２ａを携帯したまま電波の届かない場所に移動してしまったとしても、データ送受信部２４が最新送信ＩＤ保存部２３に保存された送信ＩＤを参照して配信装置８に再接続できた段階で自動的に医療データを再送信できるのため、患者の負担はない。
【００８２】
次に、各配信装置８側において、医療機器２から送信された医療データの認証にそれぞれ成功すると、各配信装置８におけるそれぞれの配信制御部３０は、データ一時保存部３３に保存された医療データを主配信装置８ｂに送信するように各有線データ送受信部３６に要求を行う。このため、各有線データ送受信部３６は、結合リスト保存部３４に保存された結合リスト情報を参照し、医療機器２に関連付けられて配信先として指定された主配信装置８ｂに、データ一時保存部３３から読み込んだ医療データを有線ネットワーク１３を介して送信する。ここで、各配信装置８において医療データの受信に失敗した場合には、医療機器２から医療データが再送されるため、主配信装置８ｂには、医療機器２からの受信が完了し、完全性が維持された医療データのみが送信されることとなる。
【００８３】
そうすると、主配信装置８ｂの有線データ送受信部３６は、各配信装置８から有線ネットワーク１３を介して送信された医療データを受信してデータ一時保存部３３に書き込む。このため、主配信装置８ｂのデータ一時保存部３３には、主配信装置８ｂおよび各配信装置８において無線により受信された各医療データが格納されることとなる。次に、データ結合／確認部３７は、結合リスト保存部３４に保存された結合リスト情報を参照し、分割された複数の医療データを結合させてデータ保存部３８および有線データ送受信部３６に与える。
【００８４】
このため、データ保存部３８には、医療機器２において収集された医療データが保存される一方、有線データ送受信部３６からは医療データが有線ネットワーク１３を介して医療データ保存サーバ１０に送信されて格納される。つまり、医療機器２において収集された医療データは、医療機器２の移動に伴って一旦は、複数の配信装置８に分割されて無線送信される可能性があるが、最終的には主配信装置８ｂに集約され、結合した後、完全な医療データとして医療データ保存サーバ１０に保存される。
【００８５】
また、データ保存部３８に保存された医療データに対して、データ処理装置１４を用いて画像再構成処理等の各種処理を行うことができる。この医療データに対する処理は、データ処理部３９によって行われ、処理後の医療データは、データ保存部３８に書き込まれて保存される。
【００８６】
さらに、医療機器２の概略位置を確認することもできる。その場合には、データ処理装置１４の医療機器位置検出部４０により、データ保存部３８に保存された医療データが参照され、医療データに含まれる医療機器２の認証情報に基づいて、医療データを受信した配信装置８が特定される。そうすると、医療データを受信した配信装置８が常に医療装置の最寄の配信装置８であると仮定すると、最後の医療データを受信した配信装置８付近に医療機器２が存在すると推定することができる。また、医療データを受信した配信装置８の位置をプロットすれば、医療機器２のおおよそ軌跡や移動区域を推定することができる。
【００８７】
医療機器位置検出部４０は、配信装置８の位置または医療機器２の推定位置を画像表示するための情報を作成して表示装置４２に与える。このため、表示装置４２には、医療機器２の推定位置や存在区域または医療機器２の最寄りの配信装置８が示される。
【００８８】
図４は、図２に示すデータ処理装置１４の表示装置４２に表示される医療機器２の位置情報の表示画面例を示す図である。
【００８９】
図４に示すように医療施設５には、複数の検査室６や診察室、会計窓口、トイレ、階段、エレベータ等の施設が設けられ、医療施設５外には検診車４が立ち寄ることができる。そして、医療施設５には、複数の配信装置８が所定の間隔で設置される。このため、医療施設５の地図に各配信装置８の位置が重畳表示される。
【００９０】
そして、例えば、ある医療機器２から無線送信された医療データが検査室Ｃに設置された配信装置８によって最後に受信された場合には、医療機器２が検査室Ｃに存在すると推定することができる。そこで、図４に示すように、検査室Ｃに医療機器２を示す画像が表示される。このように、医療機器２の存在位置や区域をデータ処理装置１４から把握することができる。このため、効率的な医療機器２の移動指示を行うことができる。
【００９１】
また、別の医療機器２から無線送信された医療データが、通路に設置された配信装置８によって最後に受信された場合には、当該配信装置８の近傍に位置表示される。ただし、医療機器２と配信装置８との関係から、医療装置が本来存在すべき区域外であるか否かを判定することできる。
【００９２】
そこで、警告部４１は、医療機器位置検出部４０から医療機器２の位置情報または配信装置８の位置情報を受けて、医療装置が予め設定された使用区域内に存在するか否かを判定する。そして、医療機器２が存在すべき区域外であると判定された場合に警告音や警告ランプ、警告画像等のアラートを発生させる。
【００９３】
このため、特に、医療機器２が携帯型の計測機器２ａである場合には、患者の移動を確認し、万一の事故に備えることができる。
【００９４】
つまり以上のような医療システム１は、移動可能な医療機器２と有線ネットワーク１３に接続された配信装置８との間で、無線によりデータ通信を行うように構成したものである。また、データ通信の対象が医療データであることから医療データの完全性が維持されるように、医療データの無線送信に失敗した場合でも、送信ＩＤを保存しておくことにより、医療データが確実に再送されるようにしたものである。
【００９５】
このため、医療システム１によれば、患者自身が携帯して利用する携帯型の計測機器２ａや、医療施設５内を移動させて技師や医師が利用するＸ線診断装置、超音波診断装置、化学分析装置等の医療機器２が、移動中であっても医療データをサーバ側の配信装置８に転送することができる。これにより、従来は、医療機器を特定の配信装置８に接続して医療データを転送する必要があることにより生じる患者や技師、医師の行動の制限が回避され、患者の日常生活の負担を軽減できる。また、医療機器２の移動中、固定中に関係なく、データの送受信が可能となるため、医療機器２の効率的な活用が期待できる。
【００９６】
特に、携帯型の計測機器２ａが移動したとしても、より強いシグナル状態にある配信装置８を順次選択し、配信装置８を切換えながらデータを送受信することができるため、患者は自由に施設内を移動できるのみならず、データの送受信のための特別な時間が不要となる。
【００９７】
尚、医療機器２が配信装置８からそれぞれ発信された電波による各シグナルの強度に応じて医療データを送信する配信装置８を選択するように医療システム１を構成する例について説明したが、別の方法によって、配信装置８を選択するように構成することもできる。例えば、予め医療機器２の存在位置または存在区域に応じて医療データを送信すべき配信装置８を決定しておく一方、医療機器２に存在位置または存在区域の検出機能を設け、検出された医療機器２の存在位置または存在区域に応じて配信装置８を選択する方法が挙げられる。
【００９８】
この場合、医療機器２の存在位置や存在区域の検出する方法の一例としてＩＣ（Integrated Circuit）タグおよびＩＣタグセンサを用いる方法が挙げられる。
【００９９】
図５は、図１に示す医療システム１において、配信装置８を選択するためにＩＣタグを用いた場合における医療機器２の詳細機能を示す機能ブロック図であり、図６は、図５に示す医療機器２のように医療機器２の存在位置または存在区域が検出できるようにした場合におけるＩＣタグの配置例を示す図である。
【０１００】
図５および図６に示すようにＩＣタグ５０を配信装置８とは独立して医療施設５内の随所に配置する一方、医療機器２にＩＣタグセンサ５１を設けることができる。そして、ＩＣタグ５０からのシグナル強度を医療機器２のＩＣタグセンサ５１により検出し、検出結果が配信装置選択部２５に通知されるように構成される。
【０１０１】
そして、配信装置選択部２５がＩＣタグセンサ５１からのＩＣタグ検出結果を参照することにより医療機器２の現在の存在位置または存在区域を把握し、医療機器２の存在位置または存在区域に応じて予め設定された配信装置８、例えばＩＣタグ５０に最寄の配信装置８を医療データを送信すべき配信装置８として選択するように構成すれば、図１に示す医用システムと同等な効果を得ることができる。また、配信装置８の個数や位置に依存することなく、ＩＣタグ５０の配置方法を任意に設定することにより、配信装置８の選択をより適切に行うことができる。
【図面の簡単な説明】
【０１０２】
【図１】本発明に係る医療システムの実施の形態を示す構成図。
【図２】図１に示す医療システムにおける医療機器、配信装置およびデータ処理装置の詳細機能を示す機能ブロック図。
【図３】図２に示す医療機器から配信装置に送信される医療データのデータ構造の一例を示す概念図。
【図４】図２に示すデータ処理装置の表示装置に表示される医療機器の位置情報の表示画面例を示す図。
【図５】図１に示す医療システムにおいて、配信装置を選択するためにＩＣタグを用いた場合における医療機器の詳細機能を示す機能ブロック図。
【図６】図５に示す医療機器のように医療機器の存在位置または存在区域が検出できるようにした場合におけるＩＣタグの配置例を示す図。
【符号の説明】
【０１０３】
１  医療システム
２  医療機器
２ａ  携帯型計測機器
２ｂ  可搬型画像診断装置
３  ネットワークシステム
４  検診車
５  医療施設
６  検査室
７  病棟
８  配信装置
８ａ  検診車用配信装置
８ｂ  主配信装置
９  情報処理システム
１０  医療データ保存サーバ
１１  出力装置
１２  固定機器
１３  有線ネットワーク
１４  データ処理装置
２０  撮像／計測部
２１  撮像／計測制御部
２２  データ一時保存部
２３  最新送信ＩＤ保存部
２４  データ送受信部
２５  配信装置選択部
２６  シグナル強度検知部
２７  入力装置
２８  トリガ発生部
２９  シグナル発信部
３０  配信制御部
３１  認証部
３２  認証リスト記憶部
３３  データ一時保存部
３４  結合リスト保存部
３５  無線データ送受信部
３６  有線データ送受信部
３７  データ結合／確認部
３８  データ保存部
３９  データ処理部
４０  医療機器位置検出部
４１  警告部
４２  表示装置
５０  ＩＣタグ
５１  ＩＣタグセンサ
【図１】
2006271763.tif 000003
【図２】
2006271763.tif 000004
【図３】
2006271763.tif 000005
【図４】
2006271763.tif 000006
【図５】
2006271763.tif 000007
【図６】
2006271763.tif 000008